(57)【特許請求の範囲】
【請求項１】
電子機器に用いられる充電制御方法であって、前記電子機器は、順番に直列接続される充電インターフェースと、充電回路と、電池と、を含み、
前記充電制御方法は、
充電装置が前記充電インターフェースと接続される場合、充電制御装置により前記充電装置に適用される充電モードが高圧充電モードであるか又は低圧充電モードであるかを決定し、前記高圧充電モードの充電電圧が前記低圧充電モードの充電電圧より高いステップと、
前記充電制御装置は、前記充電装置に適用される充電モードに基づいて、前記充電回路が前記充電装置に適用される充電モードで前記電池を充電するように、前記充電回路を制御するステップと、含み、
前記充電回路は第一スイッチ素子と第二スイッチ素子とを含み、
前記充電装置に適用される充電モードに基づいて、前記充電回路が前記充電装置に適用される充電モードで前記電池を充電するように、前記充電回路を制御するステップは、
前記充電装置に適用される充電モードが低圧充電モードである場合、前記第一スイッチ素子をオン状態になるように制御し、且つ前記第二スイッチ素子をオフ状態になるように制御するステップと、
前記充電装置に適用される充電モードが高圧充電モードである場合、前記第一スイッチ素子と前記第二スイッチ素子とを交互に導通状態になるように制御するステップと、を含み、
前記充電制御装置の第一端は前記第一スイッチ素子のゲートに接続され、前記充電制御装置の第二端は前記第二スイッチ素子のゲートに接続され、
前記第一スイッチ素子のソースは前記第二スイッチ素子のドレインに接続され、
前記第一スイッチ素子のドレインは前記充電インターフェースの電源線に接続され、前記第二スイッチ素子のソースは接地され、
前記充電回路は、インダクタンス素子とコンデンサ素子とを更に含み、ここで、前記インダクタンス素子の第一端は前記第一スイッチ素子のソースと前記第二スイッチ素子のドレインとにそれぞれ接続され、
前記インダクタンス素子の第二端は前記コンデンサ素子の第一端と前記電池の第一端とにそれぞれ接続され、
前記コンデンサ素子の第二端は前記電池の第二端に接続されて接地し、
前記第一スイッチ素子がオン状態になり且つ前記第二スイッチ素子がオフ状態になる場合、前記コンデンサ素子と前記インダクタンス素子とが電気エネルギーを蓄積し、
前記第一スイッチ素子がオフ状態になり且つ前記第二スイッチ素子がオン状態になる場合、前記インダクタンス素子と前記当該コンデンサ素子とが電気エネルギーを放出する、
ことを特徴とする充電制御方法。
【請求項２】
前記充電インターフェースにおけるデータケーブルは前記電子機器と前記充電装置との間で通信することに用いられ、
前記充電装置に適用される充電モードが高圧充電モードであるか又は低圧充電モードであるかを決定するステップは、
前記充電インターフェースにおけるデータケーブルを介して前記充電装置により送信された指示情報を受信し、前記指示情報は前記充電装置に適用される充電モードを指示するものであるステップと、
前記指示情報に基づいて、前記充電装置に適用される充電モードが高圧充電モードであるか又は低圧充電モードであるかを決定するステップと、を含む、
ことを特徴とする請求項１に記載の充電制御方法。
【請求項３】
前記第一スイッチ素子は第一金属酸化物半導体ＭＯＳＦＥＴトランジスタであり、
前記第二スイッチ素子は第二ＭＯＳＦＥＴトランジスタである、
ことを特徴とする請求項１又は２に記載の充電制御方法。
【請求項４】
電子機器に用いられる充電制御装置であって、前記電子機器は、順番に直列接続される充電インターフェースと、充電回路と、電池と、を含み、
前記充電制御装置は、決定ユニットと制御ユニットとを含み、
前記決定ユニットは、充電装置が前記充電インターフェースに接続される場合、前記充電装置に適用される充電モードが高圧充電モードであるか又は低圧充電モードであるかを決定し、高圧充電モードの充電電圧が前記低圧充電モードの充電電圧より高く、
前記制御ユニットは、前記決定ユニットにより決定された前記充電装置に適用される充電モードに基づいて、前記充電回路が前記充電装置に適用される充電モードで前記電池を充電するように、前記充電回路を制御し、
前記充電回路は、第一スイッチ素子と第二スイッチ素子とを含み、
前記制御ユニットは、
前記充電装置に適用される充電モードが低圧充電モードであると決定された場合、前記第一スイッチ素子をオン状態になるように制御し、且つ前記第二スイッチ素子をオフ状態になるように制御し、
前記充電装置に適用される充電モードが高圧充電モードであると決定された場合、前記第一スイッチ素子と前記第二スイッチ素子とを交互に導通状態になるように制御し、 
前記充電制御装置の第一端は前記第一スイッチ素子のゲートに接続され、前記充電制御装置の第二端は前記第二スイッチ素子のゲートに接続され、
前記第一スイッチ素子のソースは前記第二スイッチ素子のドレインに接続され、
前記第一スイッチ素子のドレインは前記充電インターフェースの電源線に接続され、前記第二スイッチ素子のソースは接地され、
前記充電回路は、インダクタンス素子とコンデンサ素子とを含み、ここで、前記インダクタンス素子の第一端は前記第一スイッチ素子のソースと前記第二スイッチ素子のドレインとにそれぞれ接続され、
前記インダクタンス素子の第二端は前記コンデンサ素子の第一端と前記電池の第一端とにそれぞれ接続され、
前記コンデンサ素子の第二端は前記電池の第二端に接続されて接地し、
前記第一スイッチ素子がオン状態になり且つ前記第二スイッチ素子がオフ状態になる場合、前記コンデンサ素子と前記インダクタンス素子とが電気エネルギーを蓄積し、
前記第一スイッチ素子がオフ状態になり且つ前記第二スイッチ素子がオン状態になる場合、前記インダクタンス素子と前記当該コンデンサ素子とが電気エネルギーを放出する、
ことを特徴とする充電制御装置。
【請求項５】
前記充電インターフェースにおけるデータケーブルは前記電子機器と前記充電装置との間で通信することに用いられ、
前記決定ユニットは、受信サブユニットと決定サブユニットとを含み、
前記受信サブユニットは、前記充電インターフェースにおけるデータケーブルを介して前記充電装置により送信された指示情報を受信し、前記指示情報は前記充電装置に適用される充電モードを指示するものであり、
前記決定サブユニットは、前記受信サブユニットにより受信された前記指示情報に基づいて、前記充電装置に適用される充電モードが高圧充電モードであるか又は低圧充電モードであるかを決定する、
ことを特徴とする請求項４に記載の充電制御装置。
【請求項６】
前記第一スイッチ素子は第一金属酸化物半導体ＭＯＳＦＥＴトランジスタであり、
前記第二スイッチ素子は第二ＭＯＳＦＥＴトランジスタである、
ことを特徴とする請求項４又は５に記載の充電制御装置。
【請求項７】
電子機器であって、
順番に直列接続される充電インターフェースと、充電回路と、電池と、を含み、
充電制御装置を更に含み、  前記充電制御装置は、決定ユニットと制御ユニットとを含み、
前記決定ユニットは、充電装置が前記充電インターフェースに接続された場合、前記充電装置に適用される充電モードが高圧充電モードであるか又は低圧充電モードであるかを決定し、前記高圧充電モードの充電電圧は前記低圧充電モードの充電電圧より高く、
前記制御ユニットは、前記決定ユニットにより決定された前記充電装置に適用される充電モードに基づいて、前記充電回路が前記充電装置に適用される充電モードで前記電池を充電するように、前記充電回路を制御し、
前記充電回路は、第一スイッチ素子と第二スイッチ素子とを含み、
前記制御ユニットは、
前記充電装置に適用される充電モードが低圧充電モードである場合、前記第一スイッチ素子が導通状態になるように制御し、且つ前記第二スイッチ素子が切断状態になるように制御し、
前記充電装置に適用される充電モードが高圧充電モードである場合、前記第一スイッチ素子と前記第二スイッチ素子とを交互に導通状態になるように制御し、
前記充電制御装置の第一端は前記第一スイッチ素子のゲートに接続され、前記充電制御装置の第二端は前記第二スイッチ素子のゲートに接続され、
前記第一スイッチ素子のソースは前記第二スイッチ素子のドレインに接続され、
前記第一スイッチ素子のドレインは前記充電インターフェースの電源線に接続され、前記第二スイッチ素子のソースは接地され、
前記充電回路は、インダクタンス素子とコンデンサ素子とを更に含み、ここで、前記インダクタンス素子の第一端は前記第一スイッチ素子のソースと前記第二スイッチ素子のドレインとにそれぞれ接続され、
前記インダクタンス素子の第二端は前記コンデンサ素子の第一端と前記電池の第一端とにそれぞれ接続され、
前記コンデンサ素子の第二端は前記電池の第二端に接続されて接地し、
前記第一スイッチ素子がオン状態になり且つ前記第二スイッチ素子がオフ状態になる場合、前記コンデンサ素子と前記インダクタンス素子とが電気エネルギーを蓄積し、
前記第一スイッチ素子がオフ状態になり且つ前記第二スイッチ素子がオン状態になる場合、前記インダクタンス素子と前記当該コンデンサ素子とが電気エネルギーを放出する、
ことを特徴とする電子機器。
【請求項８】
前記充電インターフェースにおけるデータケーブルは前記電子機器と前記充電装置との間に通信することに用いられ、
前記充電装置に適用される充電モードが高圧充電モードであるか又は低圧充電モードであるかを決定するステップは、
前記充電インターフェースのデータケーブルにより、前記充電装置に適用される充電モードを問い合わせるための第二指示情報を前記充電装置へ送信するステップと、
前記充電装置に適用される充電モードを指示する指示情報を、前記充電インターフェースのデータケーブルにより受信するステップであって、ここで、前記指示情報は、充電装置が第二指示情報に基づいて送信したものである、ステップと、
前記指示情報に基づき、前記充電装置に適用される充電モードが高圧充電モードであるか又は低圧充電モードであるかを決定するステップと、を含む、
ことを特徴とする請求項１に記載の充電制御方法。
【請求項９】
前記充電回路は、第一検出回路と第二検出回路とを更に含み、前記第一スイッチ素子のドレインは、前記第一検出回路を介して前記充電インターフェースの電源線に接続され、前記第一検出回路の両端は前記充電制御装置の第三端と第四端とにそれぞれ接続され、前記第二検出回路の両端は前記充電制御装置の第五端と第六端とにそれぞれ接続され、
前記充電制御装置は、前記充電装置に適用される充電モードに基づいて、前記充電回路が前記充電装置に適用される充電モードで前記電池を充電するように、前記充電回路を制御するステップは、
前記充電装置が高圧充電モードに適用されると、前記充電インターフェースの電源線の入力の充電パラメータを、前記第一検出回路に基づいて決定し、前記第二検出回路に基づいて前記電池の充電パラメータを決定するステップと、
前記充電インターフェースの電源線の入力の充電パラメータ及び前記電池の充電パラメータに基づいて、前記充電回路が前記充電装置に適用される充電モードで前記電池を充電するように、前記充電回路を制御するステップと、を含む、
ことを特徴とする請求項１に記載の充電制御方法。
【請求項１０】
前記充電インターフェースの電源線の入力の充電パラメータ及び前記電池の充電パラメータに基づいて、前記充電回路が前記充電装置に適用される充電モードで前記電池を充電するように、前記充電回路を制御するステップは、  前記充電インターフェースの電源線の入力の充電パラメータと前記電池の充電パラメータとにより、充電に異常があるか又は電池が既に満充電されているか否かを決定するステップと、
充電に異常があるか又は電池が既に満充電されている場合、前記第一スイッチ素子と当該第二スイッチ素子とのいずれも切断状態になるように制御するステップと、を含む、
ことを特徴とする請求項９に記載の充電制御方法。
【請求項１１】
前記充電回路は、第一検出回路と第二検出回路とを更に含み、前記第一スイッチ素子のドレインは、前記第一検出回路を介して前記充電インターフェースの電源線に接続され、前記第一検出回路の両端は、前記充電制御装置の第三端と第四端とにそれぞれ接続され、前記第二検出回路の両端は、前記充電制御装置の第五端と第六端とにそれぞれ接続され、
前記制御ユニットは、
前記充電装置が高圧充電モードに適用されると、前記充電インターフェースの電源線の入力の充電パラメータを、前記第一検出回路に基づいて決定し、前記第二検出回路に基づいて前記電池の充電パラメータを決定し、
前記充電インターフェースの電源線の入力の充電パラメータ及び前記電池の充電パラメータに基づいて、前記充電回路が前記充電装置に適用される充電モードで前記電池を充電するように、前記充電回路を制御する、
ことを特徴とする請求項４に記載の充電制御装置。
【請求項１２】
前記制御ユニットは、更に、  前記充電インターフェースの電源線の入力の充電パラメータと前記電池の充電パラメータとにより、充電に異常があるか又は電池が既に満充電されているか否かを決定し、
充電に異常があるか又は電池が既に満充電されている場合、充電過程を終了させるように、前記第一スイッチ素子と当該第二スイッチ素子とのいずれも切断状態になるように制御する、
ことを特徴とする請求項１１に記載の充電制御装置。
【請求項１３】
前記充電回路は、第一検出回路と第二検出回路とを更に含み、前記第一スイッチ素子のドレインは、前記第一検出回路を介して前記充電インターフェースの電源線に接続され、前記第一検出回路の両端は、前記充電制御装置の第三端と第四端とにそれぞれ接続され、前記第二検出回路の両端は、前記充電制御装置の第五端と第六端とにそれぞれ接続され、
前記制御ユニットは、
前記充電装置が高圧充電モードに適用されると、前記充電インターフェースの電源線の入力の充電パラメータを、前記第一検出回路に基づいて決定し、前記第二検出回路に基づいて前記電池の充電パラメータを決定し、
前記充電インターフェースの電源線の入力の充電パラメータ及び前記電池の充電パラメータに基づいて、前記充電回路が前記充電装置に適用される充電モードで前記電池を充電するように、前記充電回路を制御する、
ことを特徴とする請求項７に記載の電子機器。
【請求項１４】
前記制御ユニットは、更に、  前記充電インターフェースの電源線の入力の充電パラメータと前記電池の充電パラメータとにより、充電に異常があるか又は電池が既に満充電されているか否かを決定し、
充電に異常があるか又は電池が既に満充電されている場合、充電過程を終了させるように、前記第一スイッチ素子と当該第二スイッチ素子とのいずれも切断状態になるように制御する、
ことを特徴とする請求項１３に記載の電子機器。
【発明の詳細な説明】
【技術分野】
【０００１】
本発明は通信分野に関し、具体的に充電制御方法と装置及び電子機器に関する。
【背景技術】
【０００２】
電子機器（例えば、スマートフォン）の普及に伴い、サプライヤーは電子機器の充電問題に注目しておる。従来の電子機器は高圧充電モード又は低圧充電モードで充電することができる。図１は電子機器１００の回路図であり、当該電子機器１００は高圧充電モードで充電することができる。当該電子機器１００は、充電インターフェース１１０と、電池１４０と、充電インターフェース１１０及び電池１４０との間に設けられる充電回路１２０と制御回路１３０とを含み、ここで、当該充電回路１２０はＢＵＣＫ回路と呼ばれ、主に、金属酸化物半導体（Metal-Oxide-Semiconductor Field Effect Transistor，ＭＯＳＦＥＴ）トランジスタ１（ＭＯＳＦＥＴ−１）と、ＭＯＳＦＥＴトランジスタ２（ＭＯＳＦＥＴ−２）と、インダクタンスとコンデンサとを含み、充電過程に、当該ＭＯＳＦＥＴ−１とＭＯＳＦＥＴ−２が交代でオン状態にすることができる。
【０００３】
図２はもう一つの電子機器２００の回路図であり、ここで、当該電子機器２００は、充電インターフェース２１０と、電池２４０と、充電インターフェース２１及び電池２４０の間に設けられる充電回路２２０と制御回路２３０とを含み、図１と相違するのは、当該電子機器２００が低圧充電モードで充電することができることであり、これに対して、当該充電回路２２０はＭＯＳＦＥＴトランジスタ３（ＭＯＳＦＥＴ−３）とコンデンサ素子とを含み、充電過程に、ＭＯＳＦＥＴ−３はずっとオン状態にすることも可能である。
【０００４】
図１における電子機器は高圧充電モードのみ支援する一方、図２における電子機器は低圧充電モードのみ支援する。これで、電子機器はその支持する充電モードにマッチするアダプターに接続されてはじめて充電することができるため、電子機器の充電場面を限定し、ユーザー体験のさらなる向上が必要となる。
【発明の概要】
【発明が解決しようとする課題】
【０００５】
本発明の実施例により提供される充電制御方法と装置及び電子機器は、高圧充電モードと低圧充電モード両方で充電することができる。
【０００６】
第一形態において、本発明の実施例は、充電制御方法を提供し、当該充電制御方法は電子機器に用いられ、当該電子機器は、順番で直列接続される充電インターフェースと、充電回路と、電池と、を含み、
当該方法は、充電装置が当該充電インターフェースに接続される場合、充電制御装置が当該充電装置に支持される充電モードが高圧充電モードであるか又は低圧充電モードであるかを決定するステップ、ここで、当該高圧充電モードの充電電圧が当該低圧充電モードの充電電圧より高いことであり、及び
当該充電制御装置は当該充電装置に支持される充電モードに基づいて、当該充電回路を制御し、当該充電回路に当該充電装置に支持される充電モードで当該電池を充電するステップを含む。
【０００７】
第一形態を組み合わせ、第一の実現可能な方式として、当該充電回路は第一スイッチ素子と第二スイッチ素子とを含む。当該充電装置に支持される充電モードに基づいて、当該充電回路を制御し、当該充電回路に当該充電装置に支持される充電モードで当該電池を充電するステップは、当該充電装置に支持される充電モードが低圧充電モードである場合、当該第一スイッチ素子がオン状態になるように制御し、且つ当該第二スイッチ素子がオフ状態になるように制御するステップを含む。
【０００８】
第一形態を組み合わせ、第二の実現可能な方式として、当該充電回路は第一スイッチ素子と第二スイッチ素子とを含む。当該充電装置に支持される充電モードに基づいて、当該充電回路を制御し、当該充電回路に当該充電装置に支持される充電モードで当該電池を充電するステップは、当該充電装置に支持される充電モードが高圧充電モードである場合、当該第一スイッチ素子と当該第二スイッチ素子を交互にオン状態になるように制御するステップを含む。
【０００９】
上記いずれか一の実現可能な方式を組み合わせ、第三の実現可能な方式として、当該充電制御装置の第一端は当該第一スイッチ素子のゲートは接続され、当該充電制御装置の第二端は当該第二スイッチ素子のゲートと接続する。当該第一スイッチ素子のソースは当該第二スイッチ素子のドレインと接続する。当該第一スイッチ素子のドレインが当該充電インターフェースの電源線に接続され、当該第二スイッチ素子のソースは接地される。当該充電回路は、インダクタンス素子とコンデンサ素子とを更に含み、ここで、当該インダクタンス素子の第一端は当該第一スイッチ素子のソース及び当該第二スイッチ素子のドレインとにそれぞれ接続される。当該インダクタンス素子の第二端は当該コンデンサ素子の第一端及び当該電池の第一端にそれぞれ接続される。当該コンデンサ素子の第二端が当該電池の第二端に接続されて接地する。
【００１０】
第一形態又は上記いずれかの実現可能な方式を組み合わせ、第四の実現可能な方式として、当該充電インターフェースにおけるデータケーブルは電子機器と当該充電装置との間で通信することに用いられる。当該充電装置に支持される充電モードが高圧充電モードであるか又は低圧充電モードであるかを決定するステップは、当該充電インターフェースにおけるデータケーブルを介して当該充電装置により送信された指示情報を受信するステップと、当該指示情報は当該充電装置に支持される充電モードを指示することに用いられる。当該指示情報により、当該充電装置に支持される充電モードが高圧充電モードであるか又は低圧充電モードであるかを決定する。
【００１１】
第一形態又は上記いずれかの一の実現可能な方式を組み合わせ、第五の実現可能な方式として、当該第一スイッチ素子は第一ＭＯＳＦＥＴトランジスタであり、当該第二スイッチ素子は第二ＭＯＳＦＥＴトランジスタである。
【００１２】
第二形態は、充電制御装置を提供し、当該装置は電子機器に用いられ、当該電子機器は、順番で直列接続される充電インターフェースと、充電回路と、電池と、を含み、当該装置は、決定ユニットと制御ユニットとを含み、前記決定ユニットは、充電装置が当該充電インターフェースと接続される場合、当該充電装置に支持される充電モードが高圧充電モードであるか又は低圧充電モードであるかを決定し、ここで、高圧充電モードの充電電圧が当該低圧充電モードの充電電圧より高い。前記制御ユニットは、当該決定ユニットにより決定された当該充電装置に支持される充電モードに基づいて、当該充電回路を制御し、当該充電回路に当該充電装置に支持される充電モードで当該電池を充電する。
【００１３】
第一形態を組み合わせ、第一の実現可能な方式として、当該充電回路は、第一スイッチ素子と第二スイッチ素子とを含む。当該制御ユニットは、当該決定ユニットは当該充電装置に支持される充電モードが低圧充電モードであることが決定される場合、当該第一スイッチ素子をオン状態になるように制御し、且つ当該第二スイッチ素子がオフ状態になるように制御することに用いられる。
【００１４】
第一形態を組み合わせ、第二の実現可能な方式として、当該充電回路は第一スイッチ素子と第二スイッチ素子とを含む。前記制御ユニットは、具体的に、前記決定ユニットが前記充電装置に支持される充電モードが高圧充電モードであることを決定する場合に、前記第一スイッチ素子と前記第二スイッチ素子を交互にオン状態になるように制御することに用いられる。
【００１５】
上記いずれかの実現可能な方式を組み合わせ、第三の実現可能な方式として、当該装置の第一端は当該第一スイッチ素子のゲートに接続され、当該装置の第二端は当該第二スイッチ素子のゲートと接続する。当該第一スイッチ素子のソースは当該第二スイッチ素子のドレインと接続する。当該第一スイッチ素子のドレインが当該充電インターフェースの電源線に接続され、当該第二スイッチ素子のソースが接地する。当該充電回路は、インダクタンス素子とコンデンサ素子とを含み、ここで、当該インダクタンス素子の第一端が当該第一スイッチ素子のソース及び第二スイッチ素子のドレインとにそれぞれ接続される。当該インダクタンス素子の第二端が当該コンデンサ素子の第一端と当該電池の第一端とにそれぞれ接続される。当該コンデンサ素子の第二端が当該電池の第二端に接続されて接地する。
【００１６】
第二形態又は上記いずれかの実現可能な方式を組み合わせ、第四の実現可能な方式として、当該充電インターフェースにおけるデータケーブルは当該電子機器及び当該充電装置との間で通信することに用いられる。当該決定ユニットは、受信サブユニットと決定サブユニットとを含み、前記受信サブユニットは、当該充電インターフェースにおけるデータケーブルを通して当該充電装置が送信する指示情報を受信するステップと、当該指示情報は当該充電装置に支持される充電モードを指示することに用いられる。前記決定サブユニットは、当該受信サブユニットにより受信された指示情報により、当該充電装置に支持される充電モードが高圧充電モードであるか又は低圧充電モードであるかを決定する。
【００１７】
第二形態又は上記いずれか一の実現可能な方式を組み合わせ、第五の実現可能な方式として、当該第一スイッチ素子は第一ＭＯＳＦＥＴトランジスタであり、当該第二スイッチ素子は第二ＭＯＳＦＥＴトランジスタである。
【００１８】
第三形態にプロセッサーが提供され、前記プロセッサーは電子機器に用いられ、当該電子機器は、順番で直列接続される充電インターフェースと、充電回路と電池とを含む。当該プロセッサーは、当該充電装置が当該充電インターフェースに接続すされる場合に、当該充電装置が支持する充電モードが高圧充電モードであるか又は低圧充電モードであるかを決定し、ここで、当該高圧充電モードの充電電圧が当該低圧充電モードの充電電圧より高い。当該充電装置に支持される充電モードに基づいて、当該充電回路を制御し、当該充電回路に当該充電装置に支持される充電モードで当該電池を充電する。
【００１９】
第三形態を組み合わせ、第一の実現可能な方式として、当該充電回路が第一スイッチ素子と第二スイッチ素子とを含む。この時、当該プロセッサーの第一端が当該第一スイッチ素子のゲートに接続され、当該プロセッサーの第二端が当該第二スイッチ素子のゲートに接続され、当該第一スイッチ素子のソースは当該第二スイッチ素子のドレインに接続され、当該第一スイッチ素子のドレインが当該充電インターフェースの電源線に接続され、当該第二スイッチ素子のソースが接地する。
【００２０】
第三形態又は第一の実現可能な方式を組み合わせ、第二の実現可能な方式として、具体的に、当該プロセッサーは、当該充電装置に支持される充電モードが低圧充電モードである場合に、当該第一スイッチ素子をオン状態になり、且つ当該第二スイッチ素子をオフ状態になるように制御することに用いられる。
【００２１】
第三形態又は第一又は第二の実現可能な方式として、第三の実現可能な方式として、具体的に、当該プロセッサーは、当該充電装置に支持される充電モードが高圧充電モードである場合に、当該第一スイッチ素子と当該第二スイッチ素子を交代でオン状態にするように制御することに用いられる。
【００２２】
上記いずれかの実現可能な方式を組み合わせ、第三の実現可能な方式として、当該第一スイッチ素子は第一ＭＯＳＦＥＴトランジスタであり、当該第二スイッチ素子は第二ＭＯＳＦＥＴトランジスタである。
【００２３】
上記いずれかの実現可能な方式を組み合わせ、第四の実現可能な方式として、当該充電回路は、インダクタンス素子とコンデンサ素子を更に含み、ここで、当該インダクタンス素子の第一端が当該第一スイッチ素子のソース及び当該第二スイッチ素子のドレインとにそれぞれ接続される。当該インダクタンス素子の第二端が当該コンデンサ素子の第一端と当該電池の第一端とにそれぞれ接続される。当該コンデンサ素子の第二端が当該電池の第二端に接続されて接地する。
【００２４】
上記いずれかの実現可能な方式を組み合わせ、第五の実現可能な方式として、当該インターフェースにおけるデータケーブルは当該電子機器と当該充電装置の間に通信することに用いられる。具体的には、当該プロセッサーは、当該充電インターフェースにおけるデータケーブルを通して当該充電装置により送信された指示情報を受信し、当該指示情報は当該充電装置に支持される充電モードを指示するためのものである。当該指示情報により、充電装置に支持される充電モードが高圧充電モードであるか又は低圧充電モードであるかを決定する。
【００２５】
上記いずれか一の実現可能な方式を組み合わせ、第六の実現可能な方式として、当該充電回路は、第一検出回路と第二検出回路を含み、ここで、当該第一スイッチ素子のソースは具体的に当該第一検出回路を通して当該充電インターフェースの電源線に接続され、当該第一検出回路の両端がそれぞれ当該プロセッサーの第三端と第四端と接続する。当該第二検出回路の両端が、それぞれ当該プロセッサーの第五端と第六端と接続する。当該プロセッサーは更に当該充電装置が高圧充電モードを支持すると、当該第一検出回路で当該充電インターフェースの電源線の入力の充電パラメータを決定し、且つ当該第二検出回路で当該電池の充電パラメータを決定し、当該充電パラメータは少なくとも電流と電圧のうちの一項を含む。当該充電インターフェースの電源線の入力の充電パラメータ及び当該電池の充電パラメータにより、当該充電回路を制御し、当該充電回路に当該充電装置に支持される充電モードで当該電池を充電するようにする。
【００２６】
上記いずれか一の実現可能な方式を組み合わせ、第七の実現可能な方式として、当該プロセッサーは、具体的に、当該充電インターフェースの電源線の入力の充電パラメータ及び当該電池の充電パラメータとにより、充電に異常があるか又は電池が既に満充電されているか否かを決定する。充電に異常がある又は電池が既に満充電されていると決定された場合、当該第一スイッチ素子と当該第二スイッチ素子がオフ状態になるように制御し、当該充電装置が当該電池を充電するのを停止する。
【００２７】
第四形態はコンピュータ可読媒体を提供し、前記コンピュータ可読媒体はプログラムを記憶するためのもので、当該プログラムがプロセッサーに実行される場合、当該プロセッサーが第一形態又は第一形態のいずれか一の実現可能な方法を実行する。
【００２８】
第五形態は電子機器を提供し、前記電子機器は、順番で直列接続される充電インターフェースと充電回路と、電池と、を含み、当該電子機器は第二形態又は第二形態のいずれか一の実現可能な方式においての充電制御装置を更に含む。
【００２９】
第六形態において、本発明の実施例により提供される電子機器は、順番で直列接続される充電インターフェースと充電回路と、電池と、を含み、当該電子機器は、当該充電回路と接続するコントローラーを更に含み、当該コントローラーは、充電装置が当該充電インターフェースに接続される場合に、当該充電装置に支持される充電モードが高圧充電モードであるか又は低圧充電モードであるかを決定し、ここで、当該高圧充電モードの充電電圧が当該低圧充電モードより高い。当該充電モードに支持される充電モードに基づいて、当該充電回路を制御することで、当該充電回路が当該充電装置に支持される充電モードで当該電池を充電するようにする。
【００３０】
第六形態を組み合わせ、第一の実現可能な方式として、当該充電回路は第一スイッチ素子と第二スイッチ素子とを含む。当該コントローラーの第一端が当該第一スイッチ素子のゲートに接続され、当該コントローラーの第二端が当該第二スイッチ素子のゲートに接続され、当該第一スイッチ素子のソースが第二スイッチ素子のドレインに接続され、当該第一スイッチ素子のドレインが当該受電インターフェースの電源線に接続され、当該第二スイッチ素子のソースが接地する。
【００３１】
第一の実現可能な方式を組み合わせ、第二の実現可能な方式として、当該コントローラーは、具体的に、当該充電装置に支持される充電モードが低圧充電モードである場合に、当該第一スイッチ素子をオン状態になり、且つ当該第二スイッチ素子をオフ状態になるように制御する。
【００３２】
上記いずれか一の実現可能な方式を組み合わせ、第三の実現可能な方式として、当該コントローラーは、当該充電装置に支持される充電モードが高圧充電モードである場合、当該第一スイッチ素子と当該第二スイッチ素子を交互にオン状態になるように制御することに用いられる。
【００３３】
上記いずれか一の実現可能な方式として、第四の実現可能な方式として、当該第一スイッチ素子は第一ＭＯＳＦＥＴトランジスタであり、当該第二スイッチ素子は第二ＭＯＳＦＥＴトランジスタである。
【００３４】
上記いずれか一の実現可能な方式を組み合わせ、第五の実現可能な方式として、当該充電回路は、インダクタンス素子とコンデンサ素子とを含み、ここで、当該インダクタンス素子の第一端が当該第一スイッチ素子のソース及び第二スイッチ素子のドレインとにそれぞれ接続される。当該インダクタンス素子の第二端がそれぞれ当該コンデンサ素子の第一端と当該電池の第一端と接続する。当該コンデンサ素子の第二端が当該電池の第二端に接続されて接地する。
【００３５】
第六形態又は上記いずれか一の実現可能な方式を組み合わせ、第六の実現可能な方式として、当該コントローラーは当該充電インターフェースのデータケーブルに接続され、ここで、当該充電インターフェースにおけるデータケーブルは当該電子機器と当該充電装置との間で通信することに用いられる。当該コントローラーは、具体的に、当該充電インターフェースにおけるデータケーブルを介して当該充電装置により送信された指示情報を受信することにより、当該指示情報が当該充電装置に支持される充電モードを指示することに用いられる。当該指示情報により、当該充電装置に支持される充電モードは高圧充電モード又は低圧充電モードを決定する。
【００３６】
上記いずれか一の実現可能な方式を組み合わせ、第六の実現可能な方式として、当該充電回路は、第一検出回路と第二検出回路とを更に含み、ここで、当該第一スイッチ素子のソースが具体的に当該第一検出回路を通して当該充電インターフェースの電源線に接続され、当該第一検出回路の両端がそれぞれ当該コントローラーの第三端と第四端と接続する。当該第二検出回路の両端が、それぞれ当該コントローラーの第五端と第六端と接続する。当該コントローラーは更に、当該充電装置が高圧充電モードを支持すると、当該第一検出回路で当該充電インターフェースの電源線の入力の充電パラメータを決定し、且つ当該第二検出回路で当該電池の充電パラメータを決定し、当該充電パラメータは少なくとも電流と電圧のうちの一項を含む。当該充電インターフェースの電源線の入力の充電パラメータ及び当該電池の充電パラメータにより、当該充電回路を制御し、当該充電回路に当該充電装置に支持される充電モードで当該電池を充電するようにする。
【００３７】
第六の実現可能な方式を組み合わせ、第七の実現可能な方式として、当該コントローラーは、具体的に、当該充電インターフェースの電源線の入力の充電パラメータ及び当該電池の充電パラメータとにより、充電に異常があるか又は電池が既に満充電されているか否かを決定する。充電に異常がある又は満充電状態されている場合、当該第一スイッチ素子と当該第二スイッチ素子がオフ状態になるように制御し、当該充電装置が当該電池を充電しないようにする。
【００３８】
上記の技術案に基づき、本発明の実施例により提供される充電制御方法と装置及び電子機器は、電子機器が接続する充電装置に支持される充電モードが高圧充電モードであるか又は低圧充電モードであるかを決定し、且つ当該充電装置に支持される充電モードに基づいて、電子機器の充電回路を制御し、当該充電回路が当該充電装置に支持される充電モードで作業することができ、高圧充電モードと低圧充電モード両方で充電することができ、様々な異なる充電装置の場面に支持し、ユーザー体験を向上する。
本発明の実施例の技術案をより明白に説明するために、以下、本発明の実施例又は従来技術に対する説明に必要となる図面を簡単に説明し、明らかに、以下説明される図面はただ本発明のいくつの実施例であり、当業者にとって、創造的労力が必要ではないという前提で、更にこれらの図面により他の図面を得られる。
【図面の簡単な説明】
【００３９】
【図１】従来技術における電子機器の回路図である。
【図２】従来技術におけるもう一つの電子機器の回路図である。
【図３】本発明の実施例により提供される電子機器の回路図である。
【図４】本発明の実施例により提供される充電制御方法のフローチャートである。
【図５】本発明の実施例により提供される電子機器のもう一つの回路図である。
【図６】本発明の実施例により提供される充電制御装置の模式的なブロック図である。
【図７】本発明の実施例により提供される電子機器の模式的なブロック図である。
【図８】本発明の実施例により提供される電子機器のもう一つの模式的なブロック図である。
【発明を実施するための形態】
【００４０】
以下に、本発明の実施例における図面を組み合わせ、本発明の実施例による技術案を明白で完全に説明し、説明される実施例は本発明の一部の実施例だけ、全部の実施例ではないことは、明らかになる。本発明における実施例に基づき、当業者は創造的労力が必要ではないという前提で得られる他の実施例は、いずれも本発明の保護範囲に属するべきである。
【００４１】
図３は本発明の実施例による電子機器３００の回路図である。当該電子機器３００は、充電インターフェース３１０と、充電回路３２０と、電池３３０と、を含み、ここで、当該充電インターフェース３１０は充電装置に接続され、当該充電装置はアダプターや、ポータブル充電器、モバイル電源、パーソナル・コンピュータ等充電インターフェース３１０で当該電子機器を充電できる任意の機器であっても良く、本発明の実施例はこれを限定しない。当該充電回路３２０は、充電インターフェース３１０で当該充電装置が伝送する充電電流を受信し、且つ当該充電電流により電池３３０を充電する。当該電池３３０はリチウム電池又は他のタイプの電池であっても良く、本発明の実施例はこれを限定しない。
【００４２】
本発明の一つの実施例において、当該充電インターフェース３１０は、ユニバーサル・シリアル・バス（ＵＳＢ：Universal Serial Bus）インターフェースであっても良く、例えば、普通のＵＳＢインターフェース又はマイクロＵＳＢ（ｍｉｃｒｏ  ＵＳＢ）インターフェース、しかし、本発明の実施例はこれを限定しない。当該充電インターフェース３１０は電源線とデータケーブルを含む。当該充電インターフェース３１０における電源線はＵＳＢインターフェースにおけるＶＢｕｓ線及び/又は接地線であっても良く、当該電子機器を充電することに用いられる。当該充電インターフェース３１０におけるデータケーブルはＵＳＢインターフェースにおけるＤ+線及び/又はＤ-線であっても良く、当該電子機器が充電装置との間に双方向通信を行い、ここで、双方向通信は充電装置が電子機器との間に情報の交互を行うことを指しても良いが、本発明の実施例はこれを限定しない。
【００４３】
本発明の一つの実施例において、充電電流の観点からみると、当該電子機器が普通充電モードと急速充電モードを支持することができ、急速充電モードの充電電流が普通充電モードの充電電流より大きい。例えば、普通充電モードの充電電流は普通２．５Ａより小さいことであるが、急速充電モードの充電電流は３Ａより大きいことで、本発明はこれに限らない。
【００４４】
本発明の一つの実施例において、充電電圧の観点からみると、当該電子機器は高圧充電モードと低圧充電モードとを支持することができ、高圧充電モードの充電電圧は低圧充電モードの充電電圧より高く、本発明の一つの実施例において、当該高圧充電モードの充電電圧は標準電圧（５Ｖ）より高く、当該低圧充電モードの充電電圧は標準電圧より低くても良いが、本発明の実施例はこれを限定しない。また、本発明の実施例は当該高圧充電モードと低圧充電モードの充電電流を限定するものではなく、当該高圧充電モードは高圧急速充電モードであっても良いが、高圧普通充電モードであっても良く、また当該高低圧充電モードは低圧急速充電モードであっても良いが、低圧普通充電モードであっても良い。
【００４５】
図４は本発明の実施例による充電制御方法４００のフローチャートである。当該方法４００は電子機器に用いられ、ここで、当該電子機器は図３に示す電子機器３００であっても良いが、本発明の実施例はこれを限定しない。本発明の一つの実施例において、当該方法４００は当該電子機器内部の一つや複数の部品により実行されることができ、例えば、当該方法400は当該電子機器のプロセッサーや制御回路又はコントローラーにより実行され、説明上の便利で、以下、当該充電制御方法４００について、充電制御装置で例として説明し、ここで、当該充電制御装置は当該電子機器内に設けられても良く、例えば、当該電子機器は制御回路を含み、当該制御回路は当該充電制御装置を含むが、本発明はこれに限らない。図４に示すように、当該方法４００は以下のようなステップを含む。
【００４６】
Ｓ４１０、充電装置が当該充電インターフェースに接続される場合、当該充電装置に支持される充電モードが高圧充電模式であるか又は低圧充電モードであるかを決定し、ここで、当該高圧充電モードの充電電圧は当該低圧充電モードの充電電圧より高い。
【００４７】
Ｓ４２０、当該充電装置に支持される充電モードに基づいて、当該充電回路を制御して、当該充電回路が当該充電装置に支持される充電モードで当該電池を充電する。
【００４８】
従って、本発明の実施例による充電制御方法は、電子機器に接続される充電装置に支持される充電モードが高圧充電モードであるか又は低圧充電モードであるかを決定し、且つ当該充電装置に支持される充電モードに基づいて、電子機器の充電回路を制御し、当該充電回路が当該充電装置に支持される充電モードで作業するように、高圧充電モードと低圧充電モード両方で充電することができ、様々な充電装置の場面に支持され、ユーザー体験を向上する。
【００４９】
本発明の一つの実施例において、当該充電制御装置は当該充電インターフェースが充電装置に接続されているか否かを検出し、且つ当該充電インターフェースが充電装置に接続されていることが決定された場合に当該充電装置に支持される充電モードを決定するが、本発明はこれに限らない。本発明の実施例において、当該充電制御装置は、当該充電装置に支持される充電モードが高圧充電モードであるか又は低圧充電モードであるかを決定し、例えば、当該充電装置に支持される充電モードは高圧急速充電モード又は低圧急速充電モードかを決定することができるが、本発明の実施例はこれを限定しない。
【００５０】
本発明の実施例において、当該充電制御装置は多くの方式で、当該充電装置に支持される充電モードを決定することができる。好ましい実施例として、当該充電制御装置は当該充電インターフェースにおけるデータケーブルは当該充電装置と通信し、当該充電装置に支持される充電モードを決定するようにする。この時、Ｓ４１０、即ち当該充電装置に支持される充電モードが高圧充電モードであるか又は低圧充電モードであるかを決定するステップは、以下のようなステップを含む。
【００５１】
当該充電インターフェースにおけるデータケーブルにより当該充電装置が送信した指示情報を受信する。ここで、当該指示情報は当該充電装置に支持される充電モードを指示する。
【００５２】
当該指示情報により、当該充電装置に支持される充電モードが高圧充電モードであるか又は低圧充電モードであるかを決定する。
【００５３】
本発明の一つの実施例において、当該指示情報は当該充電装置に支持されるプロトコルのバージョン情報を含んでも良く、この時、当該充電制御装置は当該プロトコルのバージョン情報により、当該充電装置に支持される充電モードが高圧充電モードであるか又は低圧充電モードであるかを決定する。又は当該指示情報は、他の、当該充電制御装置に利用され、当該充電装置に支持される充電モードを決定されるための任意の情報を含んでも良いが、本発明の実施例はこれを限定しない。本発明の一つの実施例において、当該充電装置は当該充電インターフェースのデータケーブルに接続された後、自発的に当該充電インターフェースのデータケーブルを通して当該充電制御装置へ当該指示情報を送信する。また、当該充電制御装置は当該充電インターフェースが充電装置に接続されていることを検出した場合、当該充電インターフェースのデータケーブルで当該充電装置へ第二指示情報を送信し、当該第二指示情報は当該充電装置に支持される充電モードを問い合わせするためのものであり、これにより、当該充電装置は当該充電制御装置により送信された第二指示情報を受信した後、当該第二指示情報により、当該充電インターフェースのデータケーブルで当該充電制御装置へ当該指示情報を送信することができるが、本発明の実施例はこれを限定しない。本発明の一つの実施例において、当該充電インターフェースのデータケーブルはＵＳＢインターフェースのＤ+線及び/又はＤ-線であっても良いが、本発発明の実施例はこれを限定しない。
【００５４】
本発明の実施例において、当該充電制御装置は当該充電回路の作動モードを制御することができ、当該充電回路が当該充電装置に支持される充電モードで働けるようにする。一つの好ましい実施例として、図５に示すように、当該充電回路３２０は第一スイッチ素子３２１と第二スイッチ素子３２２とを含んでも良く、ここで、当該充電制御装置の第一端は当該第一スイッチ素子３２１のゲートに接続され、当該充電制御装置の第二端は当該第二スイッチ素子３２２のゲートに接続され、即ち当該充電制御装置の第一端は当該第一スイッチ素子３２１のゲートと直接に接続、又は他の素子を介して当該第一スイッチ素子３２１のゲートに接続されてもよい。当該充電制御装置の第二端は当該第二スイッチ素子３２２のゲートと直接に接続、又は他の素子を介して当該第二スイッチ素子３２２のゲートと接続する。図５には、当該充電制御装置の第一端は当該第一スイッチ素子３２１のゲートと直接に接続し且つ当該充電制御装置の第二端は当該第二スイッチ素子３２２のゲートと直接に接続することを例示しましたが、本発明の実施例はこれを限定しない。当該第一スイッチ素子３２１のソースが当該第二スイッチ素子３２２のドレインに接続され、当該第一スイッチ素子３２１のドレインが当該充電インターフェース３１０の電源線と直接又は間接に接続することができ、当該第二スイッチ素子３２２のソースは接地される。この時、当該充電制御装置は当該第一スイッチ素子と当該第二スイッチ素子とを制御することにより、当該充電回路を制御することができるが、本発明の実施例はこれを限定しない。
【００５５】
本発明の実施例において、当該第一スイッチ素子及び/又は当該第二スイッチ素子はＭＯＳＦＥＴトランジスタや、継電器又は三極管等であっても良く、本発明の実施例はこれを限定しない。  
【００５６】
一つの好ましい実施例として、Ｓ４２０、当該充電装置に支持される充電モードに基づいて、当該充電回路を制御することで、当該充電回路が当該充電装置に支持される充電モードで当該電池を充電するステップは、以下のようなステップを含む。
【００５７】
当該充電装置に支持される充電モードが低圧充電モードである場合、当該第一スイッチ素子をオン状態になるように制御し、且つ当該第二スイッチ素子をオフ状態になるように制御する。
【００５８】
具体的には、当該充電制御装置は当該第一スイッチ素子が充電過程にずっとオン状態になることに対して、当該第二スイッチ素子が充電過程にずっとオフ状態になるように制御し、当該充電装置により提供される充電電流が当該充電回路の当該第一スイッチ素子を経由して電池を伝送する。この時、当該充電回路がバイパスモードにすることができるが、本発明の実施例はこれを限定しない。
【００５９】
もう一つの好ましい実施例として、Ｓ４２０、当該充電装置に支持される充電モードに基づいて、当該充電回路を制御することで、当該充電回路が当該充電装置に支持される充電モードで当該電池を充電するステップは、以下のようなステップを含む。
【００６０】
当該充電装置に支持される充電モードが高圧充電モードである場合、当該第一スイッチ素子と当該第二スイッチ素子とを交互にオン状態になるように制御する。
【００６１】
具体的には、当該充電制御装置は、当該第一スイッチ素子が充電過程においてオン状態とオフ状態とに交互するように、当該第二スイッチ素子も充電過程においてオン状態とオフ状態とに交互するように制御する。ここで、同じなタイミングで、当該第一スイッチ素子と当該第二スイッチ素子とのうちの一つをオン状態になるがもう一つをオフ状態になり、当該第一スイッチ素子と当該第二スイッチ素子とを交代でオン状態にさせる。例えば、当該充電制御装置は当該第一スイッチ素子が第一時間帯にオン状態になるが当該第二スイッチ素子が当該第一時間帯にオフ状態になるように制御することができる。当該第一スイッチ素子が第二時間帯にオフ状態になるが当該第二スイッチ素子が当該第二時間帯にオン状態になるように制御し、ここで、当該第二時間帯が当該第一時間帯の直後にしても良い。この場合、当該充電回路はｂｕｃｋモードにすることができるが、本発明の実施例はこれを限定しない。
【００６２】
もう一つの好ましい実施例として、当該充電回路３２０はインダクタンス素子３２３とコンデンサ素子３２４とを更に含み、ここで、当該インダクタンス素子３２３の第一端がそれぞれ当該第一スイッチ素子のソース及び当該第二スイッチ素子のドレインに接続され、当該インダクタンス素子３２３の第二端がそれぞれ当該コンデンサ素子３２４の第一端と当該電池３３０の第一端と接続する。当該コンデンサ素子３２４の第二端が当該電池３３０の第二端に接続されて接地する。ここで、図５に示した当該インダクタンス素子３２３の第一端がそれぞれ当該第一スイッチ素子３２１のソース及び当該第二スイッチ素子３２２のドレインと直接接続し、当該インダクタンス素子３２３の第二端がそれぞれ当該コンデンサ素子３２４の第一端と当該電池３３０の第一端と直接接続するが、本発明の実施例はこれを限定しない。
【００６３】
本発明の一つの実施例において、コンデンサ素子は、プリント回路基板（Printed Circuit Board，PCB）からなるコンデンサであってもよく、又はフレキシブルプリント回路（Flexible Printed Circuit，FPC）基板からなるコンデンサであってもよい。
【００６４】
具体的には、ＰＣＢ基盤からなるコンデンサはＰＣＢ基板と上の銅箔とがわざと構成されたコンデンサであっても良い。ＦＰＣ基板からなるコンデンサはＦＰＣでわざとデザインされたコンデンサであっても良い。ＰＣＢ基板からなるコンデンサとＦＰＣ基板からなるコンデンサの利点は、主に、任意な形状、大きさ、厚さにデザインされても良く、スマートフォン等の電子機器の構造や形状により勝手にデザインすることができる点である。
【００６５】
本発明の一つの実施例において、当該コンデンサ結合素子におけるコンデンサのサイズ、形状又は厚さは、当該電子機器の構造によりデザインされるものである。
【００６６】
この場合、当該第一スイッチ素子３２１がオン状態になり且つ当該第二スイッチ素子３２２がオフ状態になる場合、当該コンデンサ素子３２４と当該インダクタンス素子３２３とが電気エネルギーを蓄積し、当該第一スイッチ素子３２１が当該充電インターフェース３１０の電源線で当該充電装置により伝送された充電電流を受信し、更に受信された充電電流をインダクタンス素子３２３に伝送し、当該インダクタンス素子３２３は、受信された充電電流をそれぞれ当該コンデンサ素子３２４と電池３３０に伝送し、これにより当該電池３３０を充電する。当該第一スイッチ素子３２１はオフ状態になり且つ当該第二スイッチ素子３２２はオン状態になる場合、当該インダクタンス素子３２３が当該コンデンサ素子３２４が電気エネルギーを放出し、当該インダクタンス素子３２３は、それぞれ当該コンデンサ素子３２４と電池３３０に電流を伝送し、当該コンデンサ素子３２４が当該電池３３０に電流を伝送し、当該第二スイッチ素子３２２を通過するように電流を伝送するが、本発明の実施例はこれを限定しない。
【００６７】
もう一つの好ましい実施例として、当該充電制御装置は充電過程における充電電流と電圧を制御することができる。例えば、当該充電装置が高圧充電モードを支持すれば、当該充電制御装置は当該充電回路の電圧及び/又は電流を検出し、更に検出された結果により充電回路の電流及び/又は電圧を制御する。本発明の一つの実施例において、図５に示すように、当該充電回路３２０は、第一検出回路３２５と第二検出回路３２６とを更に含み、ここで、当該第一スイッチ素子３２１のドレインは当該第一検出回路３２５を経由して当該充電インダクタンス３１０の電源線に接続され、当該第一検出回路３２５の両端が当該充電制御装置の第三端と第四端とにそれぞれ接続される。当該インダクタンス素子の第二端は当該第二検出回路を通して当該電池の第一端に接続され、且つ当該第二検出回路３２６の両端が当該充電制御装置の第五端と第六端とにそれぞれ接続される。この時、当該充電制御装置の第七端が接地することができ、当該第一検出回路３２５及び/又は当該第二検出回路３２６は抵抗値が小さい電流検出抵抗及び/又は他の素子を含んでも良いが、本発明の実施例はこれを限定しない。
【００６８】
この場合、Ｓ４２０、当該充電装置に支持される充電モードに基づいて、当該充電回路を制御することで、当該充電回路が当該充電装置に支持される充電モードで当該電池を充電するステップは、以下のようなステップを含む。
【００６９】
当該充電装置が高圧充電モードを支持すれば、当該第一検出回路により当該充電インターフェースの電源線の入力の充電パラメータを決定し、更に第二検出回路により当該電池の充電パラメータを決定するステップ、ここで、当該充電パラメータは、電流と電圧のうちの少なくとも一つを含む。
【００７０】
当該充電インターフェースの電源線の入力の充電パラメータ及び当該電池の充電パラメータにより、当該充電回路を制御することで、当該充電回路が当該充電装置に支持される充電モードで当該電池を充電するようにする。
【００７１】
当該充電制御装置は、第一検出回路両端の電圧を検出することにより、充電インターフェースの電源線の入力の電圧ＶＢＵＳ及び/又は電流IＢＵＳを決定し、更に当該第二検出回路両端の電圧を検出することにより当該電池の電圧ＶＢＡＴ及び/又はＩＢＡＴを決定する。当該充電制御装置はＶＢＵＳ、IＢＵＳ、ＶＢＡＴ、ＩＢＡＴのうち少なくとも一つにより、当該充電回路を制御し、高圧充電モードで当該電池を充電することが実現されるようにする。当該充電制御装置は当該第一スイッチ素子と第二スイッチ素子の導通時間を制御することができ、例えば、当該第一スイッチ素子と当該第二スイッチ素子の開閉頻度及びデューティサイクルを制御し、ここで、開閉頻度は単位時間あたりに含まれた状態切り替えサイクルの数を示し、スイッチ素子は、当該状態切替サイクルを単位として周期的に状態を切り替えることができ、デューティサイクルは、スイッチ素子がオン状態になる時間の長さが一つの状態切替サイクルに対する比率を示すが、本発明はこれに限らない。
【００７２】
もう一つの好ましい実施例として、当該充電装置が低圧充電モードを支持すれば、当該充電装置が当該充電電流及び/又は電圧を制御し、当該充電電流が定電流であることを保証するように。又は当該充電制御装置は当該充電装置との間に通信し、充電過程における電圧と電流を制御するが、本発明の実施例はこれを限定しない。
【００７３】
もう一つの好ましい実施例として、当該充電制御装置は当該充電インターフェースの電源線の入力の充電パラメータ及び当該電池の充電パラメータにより、当該充電回路が当該充電装置に支持される充電モードで当該電池を充電するステップは、以下のようなステップを含む。
【００７４】
当該充電制御装置は当該ＶＢＵＳ、IＢＵＳ、ＶＢＡＴ、及びＩＢＡＴのうち少なくとも一つにより、充電に異常があるか又は電池が既に満充電されているか否かを決定する。
【００７５】
充電に異常がある又は満充電状態されていると決定された場合、当該第一スイッチ素子も当該第二スイッチ素子もオフ状態になるように制御し、当該充電過程を停止させるようにする。
【００７６】
例えば、当該充電装置が低圧充電モードを支持すれば、当該充電制御装置は当該第一スイッチ素子がオン状態からオフ状態に切り替えるように制御し、充電装置が電池を充電しないようにする。しかし、本発明はこれに限らない。
【００７７】
上記各過程における番号の大きさは実行順番の前後を意味しているものではなく、各過程の実行順番はその機能と内部ロジックにより決定されるべき、本発明の実施例の実施過程を限定するものではないと理解されるべきである。
【００７８】
図６に本発明の実施例による充電制御装置５００を示している。当該装置５００は電子機器に用いられ、当該電子機器は、順番に直列接続する充電インターフェースと、充電回路と、電池と、を含み、ここで、当該充電インターフェースはＵＳＢインターフェースであっても良いが、本発明の実施例はこれを限定しない。具体的には、当該装置５００は当該電子機器内に設けられても良いが、本発明の実施例はこれを限定しない。図６に示すように、当該装置５００は以下二つのユニットを含む。
【００７９】
決定ユニット５１０であって、前記決定ユニット５１０は、充電装置が当該充電インターフェースに接続される場合、当該充電装置に支持される充電モードが高圧充電モードであるか又は低圧充電モードであるかを決定し、ここで、当該高圧充電モードの充電電圧が当該低圧充電モードの充電電圧より高い。
【００８０】
制御ユニット５２０であって、前記制御ユニット５２０は、当該決定ユニット５１０により決定された当該充電装置に支持される充電モードに基づいて当該充電回路を制御することで、当該充電回路が当該充電装置に支持される充電モードで当該電池を充電するようにする。
【００８１】
本発明の一つの実施例において、当該決定ユニット５１０は当該充電インターフェースが充電装置に接続されているか否かを検出し、当該充電インターフェースが充電装置に接続されていることが決定された場合に、当該充電装置に支持される充電モードを決定するが、本発明の実施例はこれを限定しない。本発明の実施例において、当該決定ユニット５１０は当該充電装置に支持される充電モードが高圧充電モードであるか又は低圧充電モードであるかを決定することができ、例えば、当該充電装置に支持される充電モードは高圧急速充電モードか又は低圧急速充電モード華を決定することができるが、本発明の実施例はこれを限定しない。
【００８２】
本発明の一つの実施例において、当該充電制御装置は当該充電回路に接続され、当該充電回路を制御するようにする。一つの好ましい実施例として、当該充電回路は第一スイッチ素子と第二スイッチ素子とを含む。この場合、当該充電制御装置の第一端は当該第一スイッチ素子のゲートに接続され、当該充電制御装置の第二端は当該第二スイッチ素子のゲートに接続され、当該第一スイッチ素子のソースが当該第二スイッチ素子のドレインに接続され、当該第一スイッチ素子のドレインが当該充電インターフェースの電源線と直接又は間接に接続され、当該第二スイッチ素子のソースは接地することができるが、当該装置は他の方式で当該充電回路に接続されてもよく、本発明の実施例はこれを限定しない。
【００８３】
本発明の一つの実施例において、当該第一スイッチ素子は第一ＭＯＳＦＥＴトランジスタで、当該第二スイッチ素子は第二ＭＯＳＦＥＴトランジスタである。または、当該第一スイッチ素子及び/又は第二スイッチ素子は三極管又は継電器であっても良いが、本発明の実施例はこれを限定しない。
【００８４】
もう一つの好ましい実施例として、当該充電回路は、インダクタンス素子とコンデンサ素子とを更に含み、ここで、当該インダクタンスの第一端が当該第一スイッチ素子のソースと当該第二スイッチ素子のドレインとにそれぞれ接続される。当該インダクタンスの第二端が当該コンデンサ素子の第一端と当該電池の第一端とにそれぞれ接続される。当該コンデンサ素子の第二端が当該電池の第二端に接続されて接地する。
【００８５】
一つの好ましい実施例として、当該制御ユニット５２０は、当該決定ユニット５１０は、当該充電装置に支持される充電装置は低圧充電モードであることが決定された場合、当該第一スイッチ素子がオン状態になリ、かつ当該第二スイッチ素子がオフ状態になるように制御する。
【００８６】
この場合、当該制御ユニット５２０は、当該第一スイッチ素子が充電過程にずっとオン状態になることに対して、当該第二スイッチ素子は充電過程にずっと切断するように制御し、当該充電装置により提供された充電電流が当該充電回路の当該第一スイッチ素子を経由して電池に伝送する。この場合、当該充電回路はバイパスモードにすることができるが、本発明の実施例はこれを限定しない。
【００８７】
もう一つの好ましい実施例として、当該制御ユニット５２０は、当該決定ユニット５１０により当該充電装置に支持される充電モードが高圧充電モードであると決定された場合、当該第一スイッチ素子と当該第二スイッチ素子とを交互にオン状態になるように制御する。
【００８８】
この場合、当該制御ユニット５２０は当該第一スイッチ素子が充電過程においてオン状態とオフ状態とに交互するように、当該第二スイッチ素子が充電過程においてオン状態とオフ状態とに交互するように制御する。ここで、同じなタイミングで、当該第一スイッチ素子と当該第二スイッチ素子のうちの一つがオン状態になるが、もう一つがオフ状態になるようにし、当該第一スイッチ素子と当該第二スイッチ素子を交代で行うオン状態にする。この場合、当該充電回路はｂｕｃｋモードにすることができるが、本発明の実施例はこれを限定しない。
【００８９】
もう一つの好ましい実施例として、当該装置５００は、更に当該充電インターフェースのデータケーブルに接続されてもよい。ここで、当該充電インターフェースにおけるデータケーブルは当該電子機器と当該充電装置との間で通信することに用いる。この時、本発明の一つの実施例において、当該決定ユニット５１０は以下二つのユニットを含む。
【００９０】
受信サブユニットであって、前記受信ユニットは、当該充電インターフェースにおけるデータケーブルを通して当該充電装置により送信された指示情報を受信し、当該指示情報は当該充電装置に支持される充電モードを指示する。
【００９１】
決定サブユニットであって、前記決定サブユニットは、当該受信サブユニットにより受信される当該指示情報により、当該充電装置に支持される充電モードが高圧充電モードであるか又は低圧充電モードであるかを決定するためのものである。
【００９２】
当該決定ユニット５１０は、更に他の方式で当該充電装置に支持される充電モードを決定することができ、本発明の実施例はこれを限定しない。
【００９３】
もう一つの好ましい実施例として、当該充電回路は、第一検出回路と第二検出回路とを更に含み、ここで、当該第一スイッチ素子のドレインは当該第一検出回路を介して当該充電インターフェースの電源線に接続され、当該第一検出回路の両端が当該充電制御装置の第三端と第四端とにそれぞれ接続される。当該第二検出回路の両端が当該充電制御装置の第五端と第六端とにそれぞれ接続される。
【００９４】
本発明の一つの実施例において、当該第一検出回路及び/又は当該第二検出回路は抵抗値が小さい電流検出抵抗及び/又は他の素子を含むことができ、本発明の実施例はこれを限定しない。
【００９５】
この場合、当該制御ユニット５２０は以下のように用いられる：当該決定ユニット５１０は当該充電装置が高圧充電モードを支持することを決定すれば、当該第一検出回路を通して当該充電インターフェースの電源線の入力の充電パラメータを決定し、当該第二検出回路を通して当該電池の充電パラメータを決定し、ここで、当該充電パラメータは電流と電圧のうち少なくとも一つを含む。
【００９６】
当該充電インターフェースの電源線の入力の充電パラメータ及び当該電池の充電パラメータにより、当該充電回路を制御することで、当該充電回路が当該充電装置に支持される充電モードで当該電池を充電する。
【００９７】
本発明の一つの実施例において、当該制御ユニット５２０は、具体的に、当該充電インターフェースの電源線の入力の充電パラメータ及び当該電池の充電パラメータにより、充電に異常があるか又は電池が既に満充電されているか否かを決定する。
【００９８】
充電に異常がある又は満充電状態されていると決定された場合、当該第一スイッチ素子も当該第二スイッチ素子もオフ状態になるように制御し、当該充電過程を停止させるようにする。
【００９９】
従って、本発明の実施例による充電制御装置によれば、電子機器が接続する充電装置に支持される充電モードが高圧充電モードであるか又は低圧充電モードであるかを決定することにより、更に、当該充電装置に支持される充電モードに基づいて、電子機器の充電回路を制御し、当該充電回路が当該充電装置に支持される充電モードで働き、電子機器が高圧充電モードと低圧充電モードとを同時支持するようにし、様々な異なる充電装置の場面に支持し、ユーザー体験を向上する。
【０１００】
本発明の実施例は、更にプロセッサーを提供する。当該プロセッサーが電子機器に用いられ、当該電子機器は順番で直列接続される充電インターフェースと、充電回路と、電池と、を含み、ここで、当該充電インターフェースはＵＳＢインターフェースであっても良いが、本発明の実施例はこれを限定しない。当該プロセッサーは当該電子機器内に設けられても良いが、本発明の実施例はこれを限定しない。
【０１０１】
当該プロセッサーは、当該充電装置が当該充電インターフェースに接続される場合、当該充電装置に支持される充電モードが高圧充電モードであるか又は低圧充電モードであるかを決定し、ここで、当該高圧充電モードの充電電圧は当該低圧充電モードの充電電圧より高い。
【０１０２】
当該充電装置に支持される充電モードに基づいて、当該充電回路を制御することで、当該充電回路が当該充電装置に支持される充電モードで当該電池を充電するようにする。
【０１０３】
本発明の一つの実施例において、当該プロセッサーは当該充電インターフェースは充電装置に接続されているかを更に検出することができ、当該充電インターフェースが充電装置と接続されることが決定された場合に、当該充電装置に支持される充電モードを決定することができるが、本発明の実施例はこれを限定しない。本発明の実施例において、プロセッサーは当該充電装置に支持される充電モードが高圧充電モードであるか又は低圧充電モードであるかを決定し、例えば、当該充電装置に支持される充電モードが高圧急速充電モードか又は低圧急速充電モードかを決定することができるが、本発明の実施例はこれを限定しない。
【０１０４】
本発明の一つの実施例において、当該プロセッサーは当該充電回路に接続され、当該充電回路を制御する。一つの好ましい実施例として、当該充電回路は第一スイッチ素子と第二スイッチ素子とを含む。この場合、当該プロセッサーの第一端が当該第一スイッチ素子のゲートに接続され、当該プロセッサーの第二端が当該第二スイッチ素子のゲートに接続され、当該第一スイッチ素子のソースが当該第二スイッチ素子のドレインに接続され、当該第一スイッチ素子のドレインが当該充電インターフェースの電源線と直接又は間接に接続し、当該第二スイッチ素子のソースが接地することができるが、当該プロセッサーは他の方式で当該充電回路に接続されてもよく、本発明の実施例はこれを限定しない。
【０１０５】
本発明の一つの実施例において、当該第一スイッチ素子は第一ＭＯＳＦＥＴトランジスタで、当該第二スイッチ素子は第二ＭＯＳＦＥＴトランジスタである。又は、当該第一スイッチ素子及び/又は第二スイッチ素子は三極管又は継電器であるが、本発明の実施例はこれを限定しない。
【０１０６】
もう一つの実施例として、当該充電回路は、インダクタンス素子とコンデンサ素子とを含み、ここで、当該インダクタンスの第一端は当該第一スイッチ素子のソースと当該第二スイッチ素子のドレインとに接続される。当該インダクタンス素子の第二端は当該コンデンサ素子の第一端と当該電池の第一端とにそれぞれ接続される。当該コンデンサ素子の第二端が当該電池の第二端に接続されて接地する。
【０１０７】
一つの好ましい実施例として、当該プロセッサーは当該充電装置に支持される充電モードが低圧充電モードである場合は、当該第一スイッチ素子がオン状態になり、当該第二スイッチ素子がオフ状態になるように制御する。
【０１０８】
この場合、当該プロセッサーは当該第一スイッチ素子が充電過程にずっとオン状態になることに対し、当該第二スイッチ素子が充電過程にずっとオフ状態になるように制御し、当該充電装置により支持される充電電流が当該充電回路の当該第一スイッチ素子を通して電池に伝送する。この場合、当該充電回路はバイパス（bypass）モードにすることができるが、本発明の実施例はこれを限定しない。
【０１０９】
もう一つの好ましい実施例として、当該プロセッサーは、当該充電装置に支持される充電モードが高圧充電モードである場合、当該第一スイッチ素子と当該第二スイッチ素子を交代でオン状態にするように制御する。
【０１１０】
この場合、当該プロセッサーは当該第一スイッチ素子が充電過程においてオン状態とオフ状態とに交互するように、また当該第二スイッチ素子が充電過程においてオン状態とオフ状態とに交互するように、制御する。ここで、同じなタイミングで、当該第一スイッチ素子と当該第二スイッチ素子のうちの一つのスイッチ素子がオン状態になることに対し、もう一つのスイッチ素子がオフ状態になるようにし、当該第一スイッチ素子と当該第二スイッチ素子とがオン状態を交代で行う。この場合、当該充電回路はｂｕｃｋモードにすることができるが、本発明の実施例はこれを限定しない。
【０１１１】
もう一つの好ましい実施例として、当該プロセッサーは当該充電インターフェースのデータケーブルに接続されてもよい。ここで、当該充電インターフェースにおけるデータケーブルは当該電子機器が当該充電装置との間の通信に用いられる。この場合、本発明の一つの実施例において、当該プロセッサーは以下のように用いられる。
【０１１２】
当該充電インターフェースにおけるデータケーブルにより、当該充電装置が送信した指示情報を受信し、当該指示情報は当該充電装置に支持される充電モードを指示する。
【０１１３】
当該指示情報により、当該充電装置に支持される充電モードが高圧充電モードであるか又は低圧充電モードであるかを決定する。
【０１１４】
当該プロセッサーは更に他の方式により当該充電装置に支持される充電モードを決定することができ、本発明の実施例はこれを限定しない。
【０１１５】
もう一つの好ましい実施例として、当該充電回路は、第一検出回路と第二検出回路とを含み、ここで、当該第一スイッチ素子のドレインは、当該第一検出回路を通して当該充電インターフェースの電源線に接続され、当該第一検出回路の両端が当該プロセッサーの第三端と第四端とにそれぞれ接続される。当該第二検出回路の両端が当該プロセッサーの第五端と第六端とにそれぞれ接続される。
【０１１６】
本発明の一つの実施例において、当該第一検出回路及び/又は当該第二検出回路は抵抗値が小さい電流検出抵抗及び/又は他の素子を含むことができ、本発明の実施例はこれを限定しない。
【０１１７】
この場合、当該プロセッサーは以下のように用いられる：当該充電装置は高圧充電モードを支持することを決定すれば、当該第一検出回路を通して当該充電インターフェースの電源線の入力の充電パラメータを決定し、当該第二検出回路を通して当該電池の充電パラメータを決定し、ここで、当該充電パラメータは電流と電圧のうち少なくとも一つを含む。
【０１１８】
当該充電インターフェースの電源線の入力の充電パラメータ及び当該電池の充電パラメータにより、当該充電回路を制御し、当該充電回路及び当該充電装置に支持される充電モードで当該電池を充電する。
【０１１９】
本発明の一つの実施例において、当該プロセッサーは、当該充電インターフェースの電源線の入力の充電パラメータ及び当該電池の充電パラメータにより、充電に異常があるか又は電池が既に満充電されているか否かを決定する。
【０１２０】
充電に異常がある又は電池が既に満充電されているか否かを決定された場合、当該第一スイッチ素子も当該第二スイッチ素子もオフ状態になるように制御し、当該充電装置が当該電池を充電しないようにする。
【０１２１】
従って、本発明の実施例によるプロセッサーによれば、電子機器が接続する充電装置に支持される充電モードが高圧充電モードであるか又は低圧充電モードであるかを決定し、且つ当該充電装置に支持される充電モードに基づいて、電子機器の充電回路を制御し、当該充電回路が当該充電装置に支持される充電モードで働かせ、電子機器が高圧充電モードと低圧充電モードと両方を支持するようにし、様々な異なる充電装置の場面に支持し、ユーザー体験を向上する。
【０１２２】
本発明の実施例はコンピュータ可読媒体を提供し、当該コンピュータ可読媒体はプログラム及び/又は少なくとも一つの指令を記憶することに用いられ、当該プログラム及び/又は少なくとも一つの指令は上記の実施例におけるプロセッサーにより実行され、ここで、当該プロセッサーはプログラム及び/又は少なくとも一つの指令を実行する場合、コンテキストの各プロセス及び/又はステップを実行する。例えば、当該プロセッサーはコンテキストのプロセッサーであっても良いが、本発明の実施例はこれを限定しない。
【０１２３】
本発明の実施例は電子機器を提供し、当該電子機器は、メモリとプロセッサーとを含み、ここで、メモリはプログラム及び/又は少なくとも一つの指令を記憶するためのものであるが、当該プロセッサーはメモリに記憶されたプログラム及び/又は少なくとも一つの指令を実行し、コンテキストの各プロセス及び/又はステップを実行するが、本発明の実施例はこれを限定しない。
【０１２４】
図７に示された本発明の実施例により提供されるもう一つの電子機器６００は、順番で直列接続される充電インターフェース６１０と、充電回路６２０と電池６３０とを含み、当該電子機器は、当該充電回路６２０と接続されるコントローラー６４０を更に含み、ここで、当該コントローラー６４０は、充電装置が当該充電インターフェース６１０に接続される場合に、当該充電装置に支持される充電モードが高圧充電モードであるか又は低圧充電モードであるかを決定し、ここで、当該高圧充電モードの充電電圧は当該低圧充電モードの充電電圧より高い。当該充電装置に支持される充電モードに基づいて、当該充電回路６２０を制御し、当該充電回路６２０が当該充電装置に支持される充電モードで当該電池６３０を充電させる。
【０１２５】
本発明の一つの実施例において、当該コントローラー６４０はコンテキストにおける充電制御装置５００又はプロセッサーであっても良いが、本発明の実施例はこれを限定しない。
【０１２６】
一つの好ましい実施例として、当該電子機器６００は制御回路を含み、当該コントローラー６４０は当該制御回路に位置し、本発明の一つの実施例において、当該制御回路は他の素子とを更に含み、本発明の実施例はこれを限定しない。
【０１２７】
もう一つの好ましい実施例として、図８に示すように、当該充電回路６２０は第一スイッチ素子６２１と第二スイッチ素子６２２とを含む。この場合、当該コントローラー６４０の第一端が当該第一スイッチ素子６２１のゲートに接続され、当該コントローラー６４０の第二端が当該第二スイッチ素子６２２のゲートに接続され、当該第一スイッチ素子６２１のソースが当該第二スイッチ素子６２２のドレインに接続され、当該第一スイッチ素子６２１のドレインが当該充電インターフェース６１０の電源線と直接又は間接に接続され、当該第二スイッチ素子６２２のソースが接地することができ、当該コントローラー６４０は他の方式で当該充電回路６２０と接続することもでき、本発明の実施例はこれを限定しない。
【０１２８】
本発明の一つの実施例において、当該第一スイッチ素子６２１は第一ＭＯＳＦＥＴトランジスタであり、当該第二スイッチ素子６２２は第二ＭＯＳＦＥＴトランジスタである。又は、当該第一スイッチ素子６２１及び/又は第二スイッチ素子６２２は三極管又は継電器であっても良く、本発明の実施例はこれを限定しない。
【０１２９】
もう一つの好ましい実施例として、当該充電回路６２０は、インダクタンス素子６２３とコンデンサ素子６２４とを含み、ここで、当該インダクタンス素子６２３の第一端が当該第一スイッチ素子６２１のソースと当該第二スイッチ素子６２２のドレインとにそれぞれ接続される。当該インダクタンス素子６２３の第二端が当該コンデンサ素子６２４の第一端と当該電池６３０の第一端とにそれぞれ接続される。当該コンデンサ素子６２４の第二端が当該電池６３０の第二端が接続して接地する。
【０１３０】
本発明の一つの実施例において、当該コントローラー６４０は、具体的に、当該充電装置に支持される充電モードが低圧充電モードである場合、当該第一スイッチ素子６２１がオン状態になり、且つ当該第二スイッチ素子６２２がオフ状態になるように制御する。
【０１３１】
この場合、当該コントローラー６４０は、当該第一スイッチ素子６２１が充電過程にずっとオン状態になるように、当該第二スイッチ素子６２２が充電過程にずっとオフ状態になるように、制御し、当該充電装置により提供される充電回路は当該充電回路６２０の第一スイッチ素子６２１を経由して電池６３０を伝送する。この場合、当該充電回路６２０はバイパスモードにすることができるが、本発明の実施例はこれを限定しない。
【０１３２】
もう一つの好ましい実施例として、当該コントローラー６４０は、具体的に、当該充電装置に支持される充電モードが高圧充電モードである場合、当該再位置スイッチ素子６２１と当該第二スイッチ素子６２２を交互にオン状態になるように制御する。
【０１３３】
この場合、当該コントローラー６４０は当該第一スイッチ素子６２１が充電過程においてオン状態とオフ状態とに交互するように、また当該第二スイッチ素子６２２が充電過程においてオン状態とオフ状態とに交互するように、制御する。同じなタイミングで、当該第一スイッチ素子６２１と当該第二スイッチ素子６２２とのうちの一つのスイッチ素子がオン状態になるが、もう一つのスイッチ素子がオフ状態にし、これにより当該第一スイッチ素子６２１と当該第二スイッチ素子６２２とを交代でオン状態にする。この場合、当該充電回路６２０はｂｕｃｋモードにすることができるが、本発明の実施例はこれを限定しない。
【０１３４】
もう一つの好ましい実施例として、当該コントローラー６４０は当該充電インターフェース６１０のデータケーブルに接続されてもよい。ここで、当該充電インターフェース６１０におけるデータケーブルは当該電子機器と当該充電装置との間で通信することに用いられる。この場合、本発明の一つの実施例において、当該コントローラー６４０は具体的に以下のように用いられる。
【０１３５】
当該充電インターフェース６１０におけるデータケーブルにより、当該充電装置が送信した指示情報を受信し、当該指示情報は当該充電装置に支持される充電モードを指示することに用いられる。
【０１３６】
当該指示情報により、当該充電装置に支持される充電モードが高圧充電モードであるか又は低圧充電モードであるかを決定する。
【０１３７】
当該コントローラー６４０は更に他の方式で当該充電装置に支持される充電モードを決定することができ、本発明の実施例はこれを限定しない。
【０１３８】
もう一つの実施例として、当該充電回路６２０は第一検出回路６２５と第二検出回路６２６とを含み、ここで、当該第一スイッチ素子６２１のドレインは、当該第一検出回路６２５を通して当該充電インターフェース６１０との電源線に接続され、当該第一検出回路６２５の両端は当該コントローラーの第三端と第四端とにそれぞれ接続される。当該第二検出回路６２６の両端が粗当該コントローラーの第五端と第六端とにそれぞれ接続される。
【０１３９】
本発明の一つの実施例において、当該コントローラー６４０の第七端が接地され、当該第一検出回路６２５及び/又は当該第二検出回路６２６は抵抗値が小さい電流検出抵抗及び/又は他の素子を含むことができ、図８に当該第一検出回路が電流検出抵抗で、当該第二検出回路が電流検出抵抗であることが例示され、本発明の実施例はこれを限定しない。
【０１４０】
この場合、当該コントローラー６４０は更に、当該充電装置が高圧充電モードを支持すれば、当該第一検出回路６２５により当該充電インターフェース６１０の電源線の入力の充電パラメータを決定し、且つ当該第二検出回路６２６により当該電池６３０の充電パラメータを決定し、ここで、当該充電パラメータは電流と電圧のうちの少なくとも一つを含むことができる。
【０１４１】
当該充電インターフェース６１０の電源線が入力した充電パラメータ及び当該電池６３０の充電パラメータにより、当該充電回路６２０を制御し、当該充電回路６２０が充電装置に支持される充電モードで当該電池６３０を充電する。
【０１４２】
本発明の一つの実施例において、当該コントローラー６４０は、具体的に、当該充電インターフェース６１０の電源線の入力の充電パラメータ及び当該電池６３０の充電パラメータにより、充電に異常があるか又は電池６３０が充満電状態したかを決定する。
【０１４３】
充電に異常がある又は電池６３０が充満電状態したことが決定された場合は、当該第一スイッチ素子６２１も当該第二スイッチ素子６２２もオフ状態になるように制御し、当該充電過程を停止させる。
【０１４４】
従来技術による充電方法によれば、高圧充電モードと低圧充電モード両方を支持するには、図１におけるＭＯＳＦＥＴ−１と、ＭＯＳＦＥＴ−２と図２におけるＭＯＳＦＥＴ−３三つのスイッチ素子が同時に含まれることが必要となる。しかし、本発明の実施例において、充電制御装置が充電回路における第一スイッチ素子と第二スイッチ素子とに対する制御を通して、同じな充電回路は高圧充電モードで電池を充電することができるが、低圧充電モードで電池を充電することもでき、第三のスイッチ素子及びその関連する回路構造を増加する必要はなく、回路構造が簡易で、容易に実現されることにより、設備の回路コストを節約する。
【０１４５】
図８の例は当業者に本発明の実施例を理解させるためのものであり、本発明の実施例の範囲を限定するものではない。当業者は、与えられた図８の例により、各種の変化、補正の等価物を明らかに行うことができ、このような補正又は変化は本発明の実施例の範囲内に含まれる、と注意されるべきである。
【０１４６】
本発明の実施例において、“ＡがＢに接続される”とは、ＡがＢに結合されることや、ＡがＢと直接に接続すること、又はＡがＢと間接に接続すること（即ち一つや複数の中間素子を介してＢと接続すること）も可能であり、本発明はこれを限定するものではない、と理解されるべきである。
【０１４７】
当該電子機器は、電池を含み且つ充電インターフェースを通してその電池を充電できる任意の端末機器であっても良く、例えば、携帯電話や、タブレットＰＣ（Tablet Personal Computer）、メディアプレーヤー、スマートテレビ、ラップトップパソコン（Laptop Computer）、携帯情報端末（personal digital assistant，PDA）、モバイル・インターネット・デバイス（Mobile Internet Device，MID）又はスマート腕時計等ウェアラブルデバイス（Wearable Device）等であっても良いが、本発明の実施例はこれを限定しない、と理解されるべきである。
【０１４８】
本発明の実施例において、プロセッサーは中央処理装置（Central Processing Unit，CPU）であっても良いが、他の汎用プロセッサー、デジタルシグナルプロセッサー（ＤＳＰ）、特定用途向け集積回路（ＡＳＩＣ）、フィールドプログラマブルゲートアレイ（ＦＰＧＡ）、又は他のプログラマブル論理デバイス（ＰＬＤ）、ディスクリートゲートまたはトランジスタロジック、ディスクリートハードウェアコンポーネント等であっても良い。汎用プロセッサーはマイクロプロセッサー又は当該プロセッサーは任意の常規のプロセッサーであっても良い、と理解されるべきである。
【０１４９】
メモリは読み出し専用メモリ及びランダム・アクセス・メモリを含み、更にプロセッサーに指令とデータを提供する。メモリの一部は不揮発性ランダム・アクセス・メモリを含むことができる。例えば、メモリは機器タイプの情報も記憶することができる。
【０１５０】
本文に開示されている実施例に説明された各方法のステップとユニットは、電子ハードウェア、コンピュータソフトウェア又は両方を組み合わせて実現することができ、ハードウェアがソフトウェアと交換性があることを明白に説明するために、上記の説明に既に機能により一般的に各実施例のステップ及び組成を説明した。これらの機能はハードウェア又はソフトウェアで実行するかは、技術案の特定な用途及び設計上の制約次第である、と当業者に意識されるべきである。当業者は各特定の用途に対して異なる方法で前記説明された機能を実現することができるが、この発揮は本発明の範囲を超えると思うべきではない。
【０１５１】
便利で簡潔に説明するために、上記説明されたシステムと、装置とユニットとの具体的な作業プロセスは、上記の方法実施例に応じるプロセスを参照することが可能で、ここで省略する、と当業者に明白に理解されるべきである。
【０１５２】
本出願に提供されたいくつの実施例において、記載されたシステム、装置と方法は、他の方式で実現することができる、と理解されるべきである。例えば、以上説明された装置の実施例はただ概略的であり、例えば、前記ユニットの区画は、ただロジック機能の区画であり、実際に実現される時には、他の区画方式で区画することができ、例えば、複数のユニット又はモジュールが組み合わせ又は他のシステムに集められることができ、或いは一部の特徴が無視されたり、実行しなかったりする。また、表示又は検討された相互の間の接続や直接接続、又は通信接続は一部のインターフェースや、装置又はユニットを通す間接接続又は通信接続であっても良い、電気や機械又は他の形の接続も可能である。
【０１５３】
前記分離部品として説明されたユニットは物理上又は物理上ではない分離は可能で、ユニットで表示された部品としては物理ユニットであってもよいが物理ユニットではなくても良く、即ち、一つの場所に位置しても良いが、複数のネットユニットに分布されることも可能である。実際の需要に応じその中の一部又は全部ユニットを選択して本実施例の提案の目的を実現することが可能である。
【０１５４】
また、本発明の各実施例においての各機能ユニットは、一つの処理ユニットに集められても良いが、各ユニットが独立な物理存在であっても良く、二つ以上のユニットが一つのユニットに集めても良い。上記集積されたユニットはハードウェアの形で実現することができるが、ソフトウェア機能ユニットの形で実現することもできる。
【０１５５】
前記集積されたユニットはソフトウェア機能ユニットの形で実現され独立な商品として販売又は使用される際、一つのコンピュータ読取可能媒体中に記憶されることは可能である。このような理解に基づいて、本発明の技術案は本質上、又は従来技術に貢献する部分又は当該技術案の全部又は部分がソフトウェア商品の形で現れる事ができ、当該コンピュータソフトウェア商品が一つの記憶媒体に記憶され、若干の指令を含むことで一台のコンピュータ設備（パーソナル・コンピュータや、サーバー、又はネット設備等）に本発明の各実施例の前記方法の全部又は一部のステップを実行させる。前記の記憶媒体は、Uディスクと、リムーバブルハードディスクと、読み出し専用メモリ（ＲＯＭ，Read-Only Memory）と、ランダム・アクセス・メモリ（ＲＡＭ，Random Access Memory）と、ディスクまたはCＤ等様々なプログラムコードを記憶できる媒体を含む。
【０１５６】
以上は、ただ本発明の実施形態であるが、本発明の保護範囲はこれを限定するものではなく、当分野に詳しい当業者であれば、本発明に記載された技術範囲内で、誰でも容易に考えられる変化又は切替は、本発明の保護範囲に含まれるべきである。従って、本発明の保護範囲はその特許請求の範囲を基準とするべきである。
【図１】
0006626882.tif 000002
【図２】
0006626882.tif 000003
【図３】
0006626882.tif 000004
【図４】
0006626882.tif 000005
【図５】
0006626882.tif 000006
【図６】
0006626882.tif 000007
【図７】
0006626882.tif 000008
【図８】
0006626882.tif 000009